(57)【特許請求の範囲】
【請求項１】
床と天井の間の冷気と暖気の気流を規制する被積載物の上部に固定されるベース部と、
前記被積載物と天井との間を遮蔽するように冷気と暖気とを区画し、下端が前記ベース部に開閉可能に設置される区画パネルと、
前記ベース部に設置され、前記区画パネルを前記ベース部材に開方向に付勢する弾性体と、
開放指示により前記区画パネルを開放する開放装置と、
検知器からの検知信号を受信したとき、前記開放装置に開放指示をするコントローラと、
を備え
るパネル装置。
【請求項２】
前記ベース部は、
前端に前記開放装置を有する伸縮可能なアームを備え、
前記区画パネルは、
垂直方向に摺動可能な上部区画パネルと、前記ベース部に回動可能に係止される下部区画パネルと、を備える請求項１記載のパネル装置。
【請求項３】
前記区画パネルは、
網入りガラスを含む請求項１記載のパネル装置。
【請求項４】
前記コントローラは、
前記開放装置の通電を遮断することにより前記区画パネルの開放を指示する請求項１記載のパネル装置。
【請求項５】
ラックを、冷気が吹き出す吹き出し孔を挟むように、向かい合わせに配置して通路を形成し、
この通路の入口及び出口をドア装置又は仕切板によって遮蔽し、
前記ラックと、前記ドア装置又は前記仕切板と、の上部に、床と天井の間の冷気と暖気の気流を規制する被積載物の上部に固定されるベース部と、前記被積載物と天井との間を遮蔽するように冷気と暖気とを区画し、下端が前記ベース部に開閉可能に設置される区画パネルと、開放指示により前記区画パネルを開放する開放装置と、検知器からの検知信号を受信したとき、前記開放装置に開放指示をするコントローラと、を備えるパネル装置を載置して冷気と温められた空気とを区画するパネル装置の使用方法。
【請求項６】
ラックと仕切板とを、冷気が吹き出す吹き出し孔を囲むように、向かい合わせに配置して通路を形成し、
この通路の入口及び出口をドア装置又は前記仕切板によって遮蔽し、
前記ラックと、前記ドア装置又は前記仕切板と、の上部に、床と天井の間の冷気と暖気の気流を規制する被積載物の上部に固定されるベース部と、前記被積載物と天井との間を遮蔽するように冷気と暖気とを区画し、下端が前記ベース部に開閉可能に設置される区画パネルと、前記ベース部に設置され、前記区画パネルを前記ベース部材に開方向に付勢する弾性体と、開放指示により前記区画パネルを開放する開放装置と、検知器からの検知信号を受信したとき、前記開放装置に開放指示をするコントローラと、を備えるパネル装置を載置して冷気と温められた空気とを区画するパネル装置の使用方法。
【請求項７】
ラックと仕切板とを、冷気を供給する冷房装置を囲むように配置して通路を形成し、
このラック前面の通路の出口及びこのラック背面の通路の入口を前記仕切板によって遮蔽し、
前記ラックと前記仕切板との上部に、床と天井の間の冷気と暖気の気流を規制する被積載物の上部に固定されるベース部と、前記被積載物と天井との間を遮蔽するように冷気と暖気とを区画し、下端が前記ベース部に開閉可能に設置される区画パネルと、前記ベース部に設置され、前記区画パネルを前記ベース部材に開方向に付勢する弾性体と、開放指示により前記区画パネルを開放する開放装置と、検知器からの検知信号を受信したとき、前記開放装置に開放指示をするコントローラと、を備えるパネル装置を載置して冷気と温められた空気とを区画するパネル装置の使用方法。
【発明の詳細な説明】
【技術分野】
【０００１】
本発明の実施形態は、ラック、仕切壁等の上端と天井の間を開閉可能に仕切るパネル装置及びパネル装置の使用方法に関する。
【背景技術】
【０００２】
近年の省エネルギー意識の高まりにより、サーバ室の空調の効率的な利用に関する技術が提案されている。
【０００３】
例えば、発熱体であるサーバを収納するラックの上部と天井との間に間仕切り板を配置する技術が提案されている。
【０００４】
また、ラックを複数列向かい合わせに配列するとともに、各列間の通路の入口と出口とを間仕切り板によって遮蔽し、さらにこの通路の上部を遮蔽板によって遮蔽し、通路の床部から冷気を導入し、ラックを通して排気する遮蔽構造が提案されている。
【先行技術文献】
【特許文献】
【０００５】
【特許文献１】特開２０１０−２５４５１号公報
【特許文献２】特開２０１０−１２２７４７号公報
【発明の概要】
【発明が解決しようとする課題】
【０００６】
しかし、いずれの技術も冷房効率を高めるための遮蔽が、既存建物の火災報知器や消火設備や排煙設備の障壁となり、これら既存建物の防災設備を有効作動させる考慮がなされておらず、防災の観点から危険性が指摘される。
【０００７】
防災の観点を配慮した、冷房効率を高めることができる遮蔽構造に使用するパネル装置及びパネル装置の使用方法が求められている。
【課題を解決するための手段】
【０００８】
上記の課題を解決するために、本発明の一実施形態は被積載物の上部に固定されるベース部と、被積載物と天井との間を遮蔽するように区画し、下端がベース部に開閉可能に設置される区画パネルと、前記ベース部に設置され、前記区画パネルを前記ベース部材に開方向に付勢する弾性体と、開放指示により区画パネルを開放する開放装置と、検知器からの検知信号を受信したとき、開放装置に開放指示をするコントローラと、を備えるパネル装置を提供する。
【図面の簡単な説明】
【０００９】
【図１】パネル装置の構成を表す図である。
【図２】パネル装置が開放された状態を示す図である。
【図３】被載置物に段差がある場合の設置例を示す図である。
【図４】パネル装置の正面図である。
【図５】パネル装置の図４のＡＡ線断面図である。
【図６】パネル装置の平面図である。
【図７】区画パネルが閉じている状態を示す側面図である。
【図８】区画パネルが開いた状態を示す側面図である。
【図９】係止部材を示す図である。
【図１０】被載置物に段差がある場合の係止部材の設置例を示す図である。
【図１１】空調効率化可動式間仕切を示す図である。
【図１２】空調効率化ドア付可動式間仕切を示す図である。
【図１３】空調効率化可動式間仕切の正面図である。
【図１４】空調効率化ドア付可動式間仕切の正面図である。
【図１５】空調効率化可動式間仕切の側面図である。
【図１６】ラックの間の通路を遮蔽するように用いられるパネル装置の遮蔽構造の例を示す図である。
【図１７】ラックの間の通路を遮蔽するように用いられるパネル装置の遮蔽構造の開放した状態を示す図である。
【図１８】向かい合わせ配置ラックの間の通路を遮蔽するように用いられるパネル装置の遮蔽構造の例を示す図である。
【図１９】向かい合わせ配置ラックの間の通路を遮蔽するように用いられるパネル装置の遮蔽構造の開放した状態を示す図である。
【図２０】複数の向かい合わせ配置ラックの通路を遮蔽するように用いられるパネル装置の設置例を示す図である。
【図２１】複数の向かい合わせ配置ラックの通路を遮蔽するように用いられるパネル装置が開放された例を示す図である。
【図２２】複数の同一方向配置ラックの通路を遮蔽するように用いられるパネル装置と空調効率化可動式間仕切の併用による使用例を示す図である。
【図２３】複数の同一方向配置ラックの通路を遮蔽するように用いられるパネル装置と空調効率化可動式間仕切のパネルが開放された例を示す図である。
【図２４】サーバ室内の床下空調方式における複数の同一方向配置ラックと空調効率化可動式間化仕切と空調効率化ドア付可動式間仕切の配置例を示す図である。
【図２５】サーバ室内の室内全体空調方式における複数の同一方向配置ラックと空調効率化可動式間化仕切と空調効率化ドア付可動式間仕切の配置例を示す図である。
【図２６】サーバ室内の床下空調方式における複数の向かい合わせ配置ラックと空調効率化ドア付可動式間仕切の配置例を示す図である。
【図２７】サーバ室内の室内全体空調方式における複数の向かい合わせ配置ラックと空調効率化ドア付可動式間仕切の配置例を示す図である。
【図２８】パネル装置の接続関係を示す図である。
【図２９】ソレノイドを使用した開放装置の例を示す図である。
【図３０】ソレノイドを使用した開放装置の例を示す図である。
【発明を実施するための形態】
【００１０】
以下、本発明によるパネル装置及びパネル装置の使用方法の一実施形態について、図面を用いて詳細に説明する。
【００１１】
パネル装置は、被積載物の上部に固定されるベース部と、被積載物と天井との間を遮蔽するように区画し、下端がベース部に開閉可能に設置される区画パネルと、開放指示により区画パネルを開放する開放装置と、検知器からの検知信号を受信したとき、開放装置に開放指示をするコントローラと、を備える。
【００１２】
図１は、本実施形態のパネル装置の構成を表す図である。図１に示すように、パネル装置１００は、ラックなどの被載置物の上部に固定されるベース部材１０２と、この被載置物と天井との間を遮蔽するように区画し、下端がベース部材１０２に開閉可能に設置される区画パネル１０４と、区画パネル１０４をベース部材１０２に開方向に付勢して回動可能に係止する弾性体１０７と、区画パネル１０４を係止し、開放指示により区画パネル１０４を開放する開放装置１０３と、検知器から火災検知信号を受信したとき開放装置１０３に開放指示をするコントローラ１０８と、開放された区画パネル１０４を受け止めるストッパ１０９と、を備える。
【００１３】
ベース部材１０２は、水平方向に延びる一対の係止部材１０２Ｂと、この一対の係止部材１０２Ｂを連結する水平部材１０２Ｃと、この水平部材１０２Ｃから垂直に伸びる垂直部材１０２Ａと、を有する。ベース部材１０２は、被載置物に係止部材１０１により係止される。
【００１４】
垂直部材１０２Ａは、伸縮可能なアーム１０５を有する。アーム１０５は先端に開放装置１０３を有する。アーム１０５は垂直部材１０２Ａにビス１０２Ｄにより係止される。
【００１５】
区画パネル１０４は、垂直方向に摺動可能な上部区画パネル１０６Ａと、ベース部１０２の水平部材１０２Ｃに回動可能に係止される下部区画パネル１０６Ｂと、を備える。上部区画パネル１０６Ａは枠体１０４Ａにビス１０２Ｅにより係止される。
【００１６】
区画パネル１０４は、区画パネル１０４の下部がベース部材１０２に回動可能に係止される。従って、区画パネル１０４は開放装置により開放されたとき、弾性体１０７の弾性力に加え、自重により開放する。
【００１７】
被載置物の上端と天井との距離に合わせて、アーム１０５と上部区画パネル１０６Ａとの位置が調節可能である。
【００１８】
図２は、パネル装置１００が開放された状態を示す図である。図２に示すように、パネル装置１００は、コントローラ１０８から開放装置１０３が開放指示を受け取ると開放装置１０３が区画パネル１０４を開放し、自重と弾性体１０７の弾性力によって矢印Ｘ１の方向に区画パネル１０４を開放する。
【００１９】
ストッパ１０９は、ストッパ１０９が有する弾性体により開放された区画パネル１０４を受け止める。
【００２０】
図３は、被載置物に段差がある場合の設置例を示す図である。図３に示すように、被載置物２０１Ｂが被載置物２０１Ａより低いとき、被載置物２０１Ｂとパネル装置１００との間隙を塞ぐブランクパネル１２２が設置される。
【００２１】
また、ベース部材１０２の係止部材１０２Ｂと被載置物２０１Ｂとの間の間隙には段差を吸収する段差調整部材１２１が設置される。
【００２２】
図４は、パネル装置１００の正面図である。図４に示すように、上部区画パネル１０６Ａと、下部区画パネル１０６Ｂとは網入りガラスによって形成されることが望ましい。
【００２３】
また、垂直部材１０２Ａとアーム１０５とは内部にコントローラ１０８から開放装置１０３への配線１３０を有する。
【００２４】
図５は、パネル装置１００の図４のＡＡ線断面図である。図５に示すように、上部区画パネル１０６Ａは下部区画パネル１０６Ｂに対して垂直方向に摺動可能である。上部区画パネル１０６Ａは天井との間隙がなくなるように高さが調節される。
【００２５】
図６は、パネル装置１００の平面図である。図６に示すように、ベース部材１０２は上方から見るとコの字形状をなしている。区画パネル１０４は水平部材１０２Ｃに回動可能に係止される。ストッパ１０９は係止部材１０２Ｂに設けられる。
【００２６】
図７は、区画パネル１０４が閉じている状態を示す側面図である。図８は、区画パネル１０４が開いた状態を示す側面図である。図７及び図８に示すように、区画パネル１０４は開放装置１０３によって開放されると矢印Ｘ２の方向に自重と弾性体１０７の弾性力により、倒れるように開放する。開放された区画パネル１０４はストッパ１０９により受け止められる。
【００２７】
図９は、係止部材１０１を示す図である。図９に示すように、係止部材１０１はボルト１０１Ａと、ナット１０１Ｂと、パッド１０１Ｃとにより、被載置物にベース部材１０２を係止する。パッド１０１Ｃは被載置物との接触面にゴムなどの弾性体を有していてもよい。
【００２８】
図１０は、被載置物に段差がある場合の係止部材１０１の設置例を示す図である。図１０に示すように、被載置物２０１Ｂが被載置物２０１Ａより低いとき、係止部材１０１は段差調整部材１２１を被載置物２０１Ｂに係止する。段差調整部材１２１はビスなどによりベース部材１０２に係止される。
【００２９】
図１１は、空調効率化可動式間仕切を示す図である。図１１に示すように、空調効率化可動式間仕切は、キャスタ３０３を有した間仕切板３０１の上部にパネル装置１００を有する。間仕切板３０１は不燃材とすることが望ましい。
【００３０】
図１２は、空調効率化ドア付可動式間仕切を示す図である。図１２に示すように、空調効率化ドア付可動式間仕切は、キャスタ３０３を有したドア付間仕切板３０２の上部にパネル装置１００を有する。ドア付間仕切板３０２は不燃材とすることが望ましい。
【００３１】
図１３は空調効率化可動式間仕切の正面図である。図１４は空調効率化ドア付可動式間仕切の正面図である。図１５は、空調効率化可動式間仕切の側面図である。
【００３２】
図１３乃至図１５に示すように、パネル装置１００は係止部材１０２Ｂを有さない。また、ストッパ１０９は水平部材１０２Ｃに係止される。
【００３３】
ベース部材１０２は連結装置１０２Ｅにより間仕切板３０１、又はドア付間仕切板３０２に係止される。間仕切板３０１およびドア付間仕切板３０２は床に固定するための固定装置３０４を有していてもよい。
【００３４】
図１５に示すように、上部のパネル装置１００は、開放装置１０３によって開放されると、区画パネル１０４は矢印Ｘ３の方向に開放し、ストッパ１０９により受け止められる。
【００３５】
図１６は、ラックの間の通路を遮蔽するように用いられるパネル装置１００の遮蔽構造の例を示す図である。図１７は、ラックの間の通路を遮蔽するように用いられるパネル装置１００の遮蔽構造の開放した状態を示す図である。図１８は、向かい合わせ配置ラックの間の通路を遮蔽するように用いられるパネル装置１００の遮蔽構造の例を示す図である。図１９は、向かい合わせ配置ラックの間の通路を遮蔽するように用いられるパネル装置１００の遮蔽構造の開放した状態を示す図である。
【００３６】
図１６及び図１８に示すように、ラック２０２Ａを連結した島とラック２０２Ｂを連結した島が通路を挟んで向かい合わせに配置される場合に、ラックの連結した各島の正面側上部にパネル装置１００を設置し、ラックの連結した島に挟まれる通路の両端に空調効率化可動式ドア付間仕切６１１が配置される。
【００３７】
通路の床部からは冷房装置からの冷気が送風され、この冷気はラックの中を通ってファン２０２Ｃから排出される。すなわち、ラック２０２Ａの連結した島およびラック２０２Ｂの連結した島の上部に設置したパネル装置１００と、通路の両端の空調効率化可動式ドア付間仕切６１１上部のパネル装置１００とで冷気と温まった空気とは区画される。従って、冷房効率が高くなる。
【００３８】
このパネル装置１００で区画された通路内部及び外部には煙検知器４０１が配置される。煙検知器４０１はコントローラ１０８に接続され、煙を検知すると検知信号をコントローラ１０８に出力する。コントローラ１０８は検知信号を受信すると開放装置１０３に開放指示を送り、図１７及び図１９に示すように、区画パネル１０４を開放する。
【００３９】
図２０は、複数の向かい合わせ配置ラックの通路を遮蔽するように用いられるパネル装置の使用例を示す図である。図２１は、複数の向かい合わせ配置ラックの通路を遮蔽するように用いられるパネル装置１００の区画パネル１０４が開放された例を示す図である。
【００４０】
図２０に示すように、通路にある床下空調方式の床部の吹き出し孔５０１からは冷気が吹き出す。ラック２０２の連結した各島は向かい合わせに配列される。パネル装置１００はラック２０２の連結した島の上部の正面側路に沿って設置される。パネル装置１００は、ラック上部と天井との間の空間を区画する。区画された通路の内部と外側には煙感知器４０１が設置される。
【００４１】
ラック２０２上部に設置したパネル装置１００は、冷気をラックと天井の間から背面へ廻り込まないよう遮蔽し、ラック２０２を通過して温まった空気と区画する。従って、冷房効率が高くなる。
【００４２】
煙検知器４０１はコントローラ１０８に接続され、煙を検知すると検知信号をコントローラ１０８に出力する。コントローラ１０８は検知信号を受信すると開放装置１０３に開放指示を送り、図２１に示すように、区画パネル１０４を開放する。
【００４３】
図２２は、複数の同一方向配置ラックの通路を遮蔽するように用いられるパネル装置と空調効率化仕切パネル装置の併用による使用例を示す図である。図２３は、複数の同一方向配置ラックの通路を遮蔽するように用いられるパネル装置１００と、空調効率化可動式間仕切の上部パネル装置１００の区画パネル１０４が開放された例を示す図である。
【００４４】
図２２に示すように、ラック２０２Ａを連結した島およびラック２０２Ｂを連結した島の上部に正面側通路に沿ってパネル装置１００が設置され、ラック２０２Ａ背面と床下空調方の吹き出し孔５０１Ｂの間に、通路に沿って空調効率化可動式間仕切６１０が配置される。ラックを連結した各島の上部に設置したパネル装置１００および空調効率化可動式間仕切６１０上部のパネル装置１００により天井と各ラックとの間の空間が区画され、この区画された範囲の各々に煙感知器４０１が設置される。床部の吹き出し孔５０１Ａからの冷気は、ラック２０２Ａを通過して温まった空気となるが、空調効率化可動式間仕切６１０に遮蔽されるため、ラック２０２Ｂには前方の床部の吹き出し孔５０１Ｂより冷気が効率良く供給される。
【００４５】
煙検知器４０１はコントローラ１０８に接続され、煙を検知すると検知信号をコントローラ１０８に出力する。コントローラ１０８は検知信号を受信すると開放装置１０３に開放指示を送り、図２３に示すように、区画パネル１０４を開放する。
【００４６】
次に、パネル装置１００の使用方法を説明する。本実施形態においては、空調の効率化を図りつつ、防災対策も考慮に入れたパネル装置１００の使用方法を提供する。以下に提供するパネル装置１００の使用方法は既に設置してある空調設備とラックに対しても、適宜選択して適用可能である。
【００４７】
図２４は、サーバ室内６０１の床下空調方式における複数の同一方向配置ラック２０２と空調効率化可動式間化仕切６１０と空調効率化ドア付可動式間仕切６１１の配置例を示す図である。
【００４８】
図２４に示すように、床下空調方式においてはラック２０２を連結した島が冷気の吹き出し孔５０１を有する通路を正面として同一方向配置される。ラック２０２の正面の冷気が各ラックと天井の間から各ラックの背面に廻り込まないようにラック２０２の上部には正面側通路に沿ってパネル装置１００が設置される。次列の各ラックが連結した島との間の通路の冷気の吹き出し孔５０１と背面側ラックとの間には、各ラック背面からの温まった空気を冷気の吹き出し孔５０１の手前で遮蔽するように空調効率化可動間仕切６１０が通路に沿って配置される。
【００４９】
さらに各ラックが連結した島の両端の正面の側面側には空調効率化ドア付可動式間仕切６１１が配置される。通路の冷気の吹き出し孔５０１は、各ラック、空調効率化可動間仕切６１０、及び空調効率化ドア付可動式間仕切６１１により取り囲まれる。
【００５０】
ラック２０２が連結した島の上部に設置されたパネル装置１００および空調効率化可動間仕切６１０と空調効率化ドア付可動式間仕切６１１の上部のパネル装置１００により天井と各ラックとの間の空間は区画され、この区画された範囲の内部と外側には各々煙感知器４０１が設置される。
【００５１】
床部の吹き出し孔５０１からの冷気は、ラック２０２の連結した島の上部パネル装置１００と空調効率化可動間仕切６１０と空調効率化ドア付化可動間仕切６１１上部のパネル装置１００により区画され、ラック２０２を通過して温まった空気は別に区画される。従って、低温域７０１の空気と高温域７０２の空気とが混ざりあわず、冷房効率が高くなる。
【００５２】
煙検知器４０１はコントローラ１０８に接続され、煙を検知すると検知信号をコントローラ１０８に出力する。コントローラ１０８は検知信号を受信すると開放装置１０３に開放指示を送り、区画パネル１０４を開放する。
【００５３】
図２５は、サーバ室内６０１の室内全体空調方式における複数の同一方向配置ラック２０２と空調効率化可動式間化仕切６１０と空調効率化ドア付可動式間仕切６１１の配置例を示す図である。
【００５４】
図２５に示すように、全体空調方式においては、冷房装置６０２に並行にラック２０２が連結した島が通路を挟んで同一方向に配置される。ラック２０２正面の冷気が各ラックと天井の間から各ラックの背面に廻り込まないようにラック２０２の上部には正面側通路に沿ってパネル装置１００が設置される。
【００５５】
さらにラック２０２が連結した島の背面と次列のラックが連結した島の正面との間の通路中間に空調効率化可動式間化仕切６１０が配置される。ラック２０２を通過して温まった空気は次列のラック２０２の正面に到達しない。
【００５６】
また、ラック２０２が連結した島の正面の通路の冷房装置６０２から離れた通路の末端から先への冷気の流れを遮蔽するように、空調効率化ドア付可動式間仕切６１１が配置される。
【００５７】
さらにラック２０２が連結した島の冷房装置６０２に近い端ラック背面の側面に冷気の侵入を遮蔽するように、空調効率化可動式間仕切６１０が配置される。ラック２０２上部に設置されるパネル装置１００と、空調効率化可動間仕切６１０及び空調効率化ドア付化可動間仕切６１１の上部のパネル装置１００とによりラックと天井との間の空間は区画され、この区画された範囲の内部と外側には各々煙感知器４０１が設置される。
【００５８】
冷房装置６０２からの冷気は、ラック２０２上部に設置されるパネル装置１００と、空調効率化可動間仕切６１０及び空調効率化ドア付化可動間仕切６１１の上部に設置されるパネル装置１００とによって、ラック２０２を通過して温まった空気は冷気と区画される。従って、低温域７０１の空気と高温域７０２の空気とが混ざりあわず、冷房効率が高くなる。
【００５９】
煙検知器４０１はコントローラ１０８に接続され、煙を検知すると検知信号をコントローラ１０８に出力する。コントローラ１０８は検知信号を受信すると開放装置１０３に開放指示を送り、区画パネル１０４を開放する。
【００６０】
図２６は、サーバ室内６０１の床下空調方式における複数の向かい合わせ配置ラック２０２と空調効率化ドア付可動式間仕切６１１の配置例を示す図である。図２６に示すように、床下空調方式においてはラック２０２が連結した島が冷気の吹き出し孔５０１を有する通路を挟んで向かい合わせに配置される。
【００６１】
ラック２０２が連結した島の上部正面側にパネル装置１００が配置される。空調効率化ドア付可動式間仕切６１１は、ラックが連結した島の両端はで通路を塞ぐように配置される。ラック２０２が連結した島上部に設置されるパネル装置１００と、空調効率化可動間仕切６１０及び空調効率化ドア付化可動間仕切６１１の上部に設置されたパネル装置１００とによりラックと天井との間の空間は区画され、この区画された範囲の内部と外側には各々煙感知器４０１が設置される。
【００６２】
床部の吹き出し孔５０１からの冷気は、ラック２０２の連結した島の上部パネル装置１００と空調効率化ドア付化可動間仕切６１１のパネル装置１００によって区画され、ラック２０２を通過して温まった空気は別に区画される。従って、低温域７０１の空気と高温域７０２の空気とが混ざりあわず、冷房効率が高くなる。
【００６３】
煙検知器４０１はコントローラ１０８に接続され、煙を検知すると検知信号をコントローラ１０８に出力する。コントローラ１０８は検知信号を受信すると開放装置１０３に開放指示を送り、区画パネル１０４を開放する。
【００６４】
図２７は、サーバ室内６０１の室内全体空調方式における複数の向かい合わせ配置ラック２０２と空調効率化ドア付可動式間仕切６１１の配置例を示す図である。図２７に示すように、全体空調方式においては冷房装置６０２に並行にラック２０２が連結した島が通路を挟んで向かい合わせに配置される。ラック２０２正面の冷気がラックと天井の間から各ラックの背面に廻り込まないように、ラック２０２が連結した島の上部正面側にパネル装置１００が配置される。冷房装置６０２から離れたラックが連結した島の末端には、冷気の流れを遮蔽するように空調効率化ドア付可動式間仕切６１１が配置される。
【００６５】
さらに、ラック２０２が連結した島の冷房装置６０２に近い端ラックの背面間の通路への冷気侵入を遮蔽するように、空調効率化可動式間仕切６１１が配置される。ラック２０２の上部に設置されるパネル装置１００と空調効率化ドア付化可動間仕切６１１の上部に設置されるパネル装置１００とによりラックと天井との間の空間は区画される。この区画された範囲の内部と外側には各々煙感知器４０１が設置される。
【００６６】
冷房装置６０２からの冷気は、ラック２０２の上部に設置されるパネル装置１００と空調効率化ドア付化可動間仕切６１１の上部に設置されるパネル装置１００とによって、ラック２０２を通過して温まった空気と区画される。従って、低温域７０１の空気と高温域７０２の空気とが混ざりあわず、冷房効率が高くなる。
【００６７】
煙検知器４０１はコントローラ１０８に接続され、煙を検知すると検知信号をコントローラ１０８に出力する。コントローラ１０８は検知信号を受信すると開放装置１０３に開放指示を送り、区画パネル１０４を開放する。
【００６８】
図２８は、パネル装置１００の接続関係を示す図である。図２８に示すように、パネル装置１００は、コントローラ１０８と、開放装置１０３と、を含む。警戒区域７０３、すなわちパネル装置１００の区画の内部と外側に、各々煙感知器４０１が設置される。
【００６９】
煙感知器４０１の出力はコントローラ１０８に入力する。また、既存建屋に設置されている当該警戒区域内にある煙感知器４０１Ａの検知信号を受信する既存建屋の自動火災報知設備受信盤４１０からの出力をコントローラ１０８に入力してもよい。
【００７０】
コントローラ１０８は、煙感知器４０１から検知信号を入力したとき、又は火災警報装置４１０から火災警報を入力したとき、開放装置１０３に開放指示を出力する。
【００７１】
この開放指示は通電中の電力を遮断するか、電力を通電するかのいずれかであってよい。すなわち、開放装置１０３が電磁石によって区画パネル１０４を吸着し、電力の遮断によって区画パネル１０４を開放するときは、開放指示は電力の遮断である。
【００７２】
図２８及び図２９は、ソレノイドを使用した開放装置の例を示す図である。図２８及び図２９に示すように、ソレノイド１０３Ａは、通電中はカンヌキ１０３Ｂを押し出し、区画パネル１０４に設けられたカンヌキ穴１０３Ｃに入り込み、電力の遮断によって図２９に示すようにカンヌキ穴１０３Ｃからカンヌキ１０３Ｂを引き抜くタイプを使用できる。この場合開放指示は電力の遮断である。
【００７３】
また、ソレノイド１０３Ａは、電力遮断中はカンヌキ１０３Ｂを押し出し、区画パネル１０４に設けられたカンヌキ穴１０３Ｃに入り込み、通電によって図２９に示すようにカンヌキ穴１０３Ｃからカンヌキ１０３Ｂを引き抜くタイプも使用できる。この場合開放指示は通電である。
【００７４】
以上述べたように、パネル装置１００は、被載置物であるラック２０２の上部に固定されるベース部材１０２と、下端がベース部材１０２に開閉可能に設置される区画パネル１０４と、区画パネル１０４をベース部材１０２に開方向に付勢して回動可能に係止する弾性体１０７と、区画パネル１０４を係止し、開放指示により区画パネル１０４を開放する開放装置１０３と、検知器４０１から検知信号を受信したとき開放装置１０３に開放指示をするコントローラ１０８と、開放された区画パネル１０４を受け止めるストッパ１０９と、を備える。パネル装置１００は、被積載物と天井との間を遮蔽するように区画する。
【００７５】
従って、火災のときにも安全に動作し、冷房効率を高めることが可能な遮蔽構造を構築することが可能となるという効果がある。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１００：パネル装置、
１０２：ベース部材、
１０３：開放装置、
１０４：区画パネル、
１０７：弾性体、
１０８：コントローラ、
１０９：ストッパ。
【図１】
0005155370.tif 000002
【図２】
0005155370.tif 000003
【図３】
0005155370.tif 000004
【図４】
0005155370.tif 000005
【図５】
0005155370.tif 000006
【図６】
0005155370.tif 000007
【図７】
0005155370.tif 000008
【図８】
0005155370.tif 000009
【図９】
0005155370.tif 000010
【図１０】
0005155370.tif 000011
【図１１】
0005155370.tif 000012
【図１２】
0005155370.tif 000013
【図１３】
0005155370.tif 000014
【図１４】
0005155370.tif 000015
【図１５】
0005155370.tif 000016
【図１６】
0005155370.tif 000017
【図１７】
0005155370.tif 000018
【図１８】
0005155370.tif 000019
【図１９】
0005155370.tif 000020
【図２０】
0005155370.tif 000021
【図２１】
0005155370.tif 000022
【図２２】
0005155370.tif 000023
【図２３】
0005155370.tif 000024
【図２４】
0005155370.tif 000025
【図２５】
0005155370.tif 000026
【図２６】
0005155370.tif 000027
【図２７】
0005155370.tif 000028
【図２８】
0005155370.tif 000029
【図２９】
0005155370.tif 000030
【図３０】
0005155370.tif 000031